(57)【特許請求の範囲】
【請求項１】
被冷却領域を通って熱媒体を循環させる循環路と、該循環路に前記熱媒体を循環させるポンプとを有し、前記循環路には建築物の床と該床よりも下側に設けられて地面に埋め込まれている建築物基礎との間の床下空間に収容されて前記建築物基礎上に配設されたパイプを有するパイプクーラーが介設され、前記床下空間を上下に横切る態様で複数互いに間隔を介して配設された床づかを避ける態様で該床づかと床づかとの間隔に前記パイプクーラーのパイプが設けられ、該パイプクーラーは、前記床下空間の前記建築物基礎の上側に配置された前記パイプに前記熱媒体を供給する長形状のヘッダを有し、前記パイプは前記ヘッダから該ヘッダの長手方向を横切る方向であって前記建築物基礎の表面に沿う方向に突出して設けられて突出先端で屈曲し前記ヘッダに戻るヘアピン形状に形成され、該ヘアピン形状パイプが前記ヘッダの長手方向に互いに間隔を介して複数設けられて前記床づかと床づかとの間に配置される態様と成しており、前記パイプを通る前記熱媒体を前記床下空間において前記建築物基礎の下側の地面と前記床下空間との温度差に伴う気化熱によって冷却し、該冷却した熱媒体を前記ポンプにより前記循環路に循環させて前記被冷却領域を冷却する冷房システムに適用されるパイプクーラーの敷設方法であって、前記ヘッダに前記ヘアピン形状パイプを取り付けたクーラー構成体を形成して前記ヘアピン形状パイプの先端側の屈曲部に紐部材を設けた状態とし、前記ヘアピン形状パイプをその屈曲部側から前記ヘッダ側に向けて該屈曲部を上向きにして丸めて前記床下空間に挿入し、前記ヘアピン形状パイプの巻き終わり側が上側になるようにして前記建築物基礎上に配置した後、前記紐部材を引っ張ることにより前記ヘアピン形状パイプを広げた状態として前記クーラー構成体を前記建築物基礎上に広げて配置することにより前記パイプクーラーを前記建築物基礎上に敷設することを特徴とする冷房システムに適用されるパイプクーラーの敷設方法。
【請求項２】
クーラー構成体をヘアピン形状パイプの先端部の屈曲部に紐部材が設けられてシート上に配置された状態とし、該シートと共に前記ヘアピン形状パイプをその屈曲部側から前記ヘッダ側に向けて該屈曲部を上向きにして丸めて床下空間に挿入し、前記ヘアピン形状パイプの巻き終わり側が上側になるようにして建築物基礎上に配置した後、前記シートを取り除き、前記紐部材を引っ張ることにより前記ヘアピン形状パイプを広げた状態として前記クーラー構成体を前記建築物基礎上に広げて配置して前記パイプクーラーを前記建築物基礎上に敷設することを特徴とする請求項１記載の冷房システムに適用されるパイプクーラーの敷設方法。
【請求項３】
被冷却領域を通って熱媒体を循環させる循環路と、該循環路に前記熱媒体を循環させるポンプとを有し、前記循環路には建築物の床と該床よりも下側に設けられて地面に埋め込まれている建築物基礎との間の床下空間に収容されて前記建築物基礎上に配設されたパイプを有するパイプクーラーが介設され、前記床下空間を上下に横切る態様で複数互いに間隔を介して配設された床づかを避ける態様で該床づかと床づかとの間隔に前記パイプクーラーのパイプが設けられ、該パイプクーラーは、前記床下空間の前記建築物基礎の上側に配置された前記パイプに前記熱媒体を供給する長形状のヘッダを有し、前記パイプは前記ヘッダから該ヘッダの長手方向を横切る方向であって前記建築物基礎の表面に沿う方向に突出して設けられて突出先端で屈曲し前記ヘッダに戻るヘアピン形状に形成され、該ヘアピン形状パイプが前記ヘッダの長手方向に互いに間隔を介して複数設けられて前記床づかと床づかとの間に配置される態様と成しており、前記パイプを通る前記熱媒体を前記床下空間において前記建築物基礎の下側の地面と前記床下空間との温度差に伴う気化熱によって冷却し、該冷却した熱媒体を前記ポンプにより前記循環路に循環させて前記被冷却領域を冷却する冷房システムに適用されるパイプクーラーの敷設方法であって、前記ヘッダの上側にパイプ挿入部を形成して前記ヘアピン形状パイプの前記ヘッダへの取り付け端側には下向きの取り付け部を形成した構成とし、該ヘアピン形状パイプと前記ヘッダとを別々に前記床下空間に挿入して、該床下空間内で前記ヘアピン形状パイプの取り付け部を前記ヘッダのパイプ挿入部に上側から差し込むことによって該ヘッダに前記ヘアピン形状パイプを取り付け、前記パイプクーラーを前記床下空間内で組み立てて前記建築物基礎上に敷設することを特徴とする冷房システムに適用されるパイプクーラーの敷設方法。
【請求項４】
それぞれのヘアピン形状パイプを、互いに間隔を介して配設された２本のパイプと該パイプ同士の間隔を保持するパイプ保持部とを備えた１つ以上のパーツユニットと、屈曲部が形成されたパイプの一端側と他端側とが間隔を介して配設されている１つのパーツユニットとを組み立て形成する構成として、隣り合うパーツユニットの一方側にはパイプに下向きの取り付け部を設けて他方側には該取り付け部を上側から挿入するパイプ挿入部を設け、これらの複数のパーツユニットとヘッダとを別々に床下空間に挿入し、該床下空間内で前記パーツユニットのパイプの取り付け部を隣のパーツユニットの前記パイプ挿入部に上側から差し込んで取り付けることにより前記ヘアピン形状パイプを形成することを特徴とする請求項３記載の冷房システムに適用されるパイプクーラーの敷設方法。
【請求項５】
冷房システムの被冷却領域は、床の上側に設けられた部屋に外部から空気を導入する空気導入部に設けられていることを特徴とする請求項１乃至請求項４のいずれか一つに記載のパイプクーラーの敷設方法。
【発明の詳細な説明】
【技術分野】
【０００１】
本発明は、被冷却領域を通して循環する水等の熱媒体（熱媒）を冷却して被冷却領域を冷却する冷房システムに適用されるパイプクーラーの敷設方法に関するものである。
【背景技術】
【０００２】
住生活の快適環境を図る観点等から、建物内全てを２４時間換気する住宅等の建物があり、その換気のための空気導入部に加温用の熱交換装置を設けることにより、空気が導入される室内（館内）を暖かくすることが行われている。また、地中に５０〜１５０ｍ程度の熱交換用のパイプを埋設し、地中熱を利用して空調を行うシステムも提案されている。（例えば、特許文献１、２、参照）。
【先行技術文献】
【特許文献】
【０００３】
【特許文献１】特開２００６―２６６５７５号公報
【特許文献２】特許公報４５９９６２６号
【発明の概要】
【発明が解決しようとする課題】
【０００４】
しかしながら、前記換気のための空気導入部に加温用の熱交換装置を設けるだけでは、夏場などの気温が高いときに涼しい空気を室内に導入することはできないし、地中に５０〜１５０ｍ程度の熱交換用のパイプを埋設し、地中熱を利用して空調を行うシステムにおいては、このシステムの構築の際に、パイプを埋設するための特殊重機が必要になるために、工事が大変であると共に、その費用も高くなってしまうといった問題があった。
【０００５】
本発明は、上記課題を解決するためになされたものであり、その目的は、簡単な構成で被冷却領域を冷却することができ、それにより、例えば２４時間換気システムにおいて涼しい風を室内に導入可能にできる安価な冷房システムに適用されるパイプクーラーの敷設方法を提供することにある。
【課題を解決するための手段】
【０００９】
本発明は上記目的を達成するために、次の構成をもって課題を解決する手段としている。すなわち、第１の発明は、被冷却領域を通って熱媒体を循環させる循環路と、該循環路に前記熱媒体を循環させるポンプとを有し、前記循環路には建築物の床と該床よりも下側に設けられて地面に埋め込まれている建築物基礎との間の床下空間に収容されて前記建築物基礎上に配設されたパイプを有するパイプクーラーが介設され、前記床下空間を上下に横切る態様で複数互いに間隔を介して配設された床づかを避ける態様で該床づかと床づかとの間隔に前記パイプクーラーのパイプが設けられ、該パイプクーラーは、前記床下空間の前記建築物基礎の上側に配置された前記パイプに前記熱媒体を供給する長形状のヘッダを有し、前記パイプは前記ヘッダから該ヘッダの長手方向を横切る方向であって前記建築物基礎の表面に沿う方向に突出して設けられて突出先端で屈曲し前記ヘッダに戻るヘアピン形状に形成され、該ヘアピン形状パイプが前記ヘッダの長手方向に互いに間隔を介して複数設けられて前記床づかと床づかとの間に配置される態様と成しており、前記パイプを通る前記熱媒体を前記床下空間において前記建築物基礎の下側の地面と前記床下空間との温度差に伴う気化熱によって冷却し、該冷却した熱媒体を前記ポンプにより前記循環路に循環させて前記被冷却領域を冷却する冷房システムに適用されるパイプクーラーの敷設方法であって、前記ヘッダに前記ヘアピン形状パイプを取り付けたクーラー構成体を形成して前記ヘアピン形状パイプの先端側の屈曲部に紐部材を設けた状態とし、前記ヘアピン形状パイプをその屈曲部側から前記ヘッダ側に向けて該屈曲部を上向きにして丸めて前記床下空間に挿入し、前記ヘアピン形状パイプの巻き終わり側が上側になるようにして前記建築物基礎上に配置した後、前記紐部材を引っ張ることにより前記ヘアピン形状パイプを広げた状態として前記クーラー構成体を前記建築物基礎上に広げて配置することにより前記パイプクーラーを前記建築物基礎上に敷設する構成をもって課題を解決する手段としている。
【００１０】
さらに、第２の発明は、前記第１の発明の構成に加え、前記クーラー構成体をヘアピン形状パイプの先端部の屈曲部に紐部材が設けられてシート上に配置された状態とし、該シートと共に前記ヘアピン形状パイプをその屈曲部側から前記ヘッダ側に向けて該屈曲部を上向きにして丸めて床下空間に挿入し、前記ヘアピン形状パイプの巻き終わり側が上側になるようにして建築物基礎上に配置した後に前記シートを取り除き、前記紐部材を引っ張ることにより前記ヘアピン形状パイプを広げた状態として前記クーラー構成体を前記建築物基礎上に広げて配置し前記パイプクーラーを前記建築物基礎上に敷設することを特徴とする。
【００１１】
さらに、第３の発明は、被冷却領域を通って熱媒体を循環させる循環路と、該循環路に前記熱媒体を循環させるポンプとを有し、前記循環路には建築物の床と該床よりも下側に設けられて地面に埋め込まれている建築物基礎との間の床下空間に収容されて前記建築物基礎上に配設されたパイプを有するパイプクーラーが介設され、前記床下空間を上下に横切る態様で複数互いに間隔を介して配設された床づかを避ける態様で該床づかと床づかとの間隔に前記パイプクーラーのパイプが設けられ、該パイプクーラーは、前記床下空間の前記建築物基礎の上側に配置された前記パイプに前記熱媒体を供給する長形状のヘッダを有し、前記パイプは前記ヘッダから該ヘッダの長手方向を横切る方向であって前記建築物基礎の表面に沿う方向に突出して設けられて突出先端で屈曲し前記ヘッダに戻るヘアピン形状に形成され、該ヘアピン形状パイプが前記ヘッダの長手方向に互いに間隔を介して複数設けられて前記床づかと床づかとの間に配置される態様と成しており、前記パイプを通る前記熱媒体を前記床下空間において前記建築物基礎の下側の地面と前記床下空間との温度差に伴う気化熱によって冷却し、該冷却した熱媒体を前記ポンプにより前記循環路に循環させて前記被冷却領域を冷却する冷房システムに適用されるパイプクーラーの敷設方法であって、前記ヘッダの上側にパイプ挿入部を形成して前記ヘアピン形状パイプの前記ヘッダへの取り付け端側には下向きの取り付け部を形成した構成とし、該ヘアピン形状パイプと前記ヘッダとを別々に前記床下空間に挿入して、該床下空間内で前記ヘアピン形状パイプの取り付け部を前記ヘッダのパイプ挿入部に上側から差し込むことによって該ヘッダに前記ヘアピン形状パイプを取り付け、前記パイプクーラーを前記床下空間内で組み立てて前記建築物基礎上に敷設する構成をもって課題を解決する手段としている。
【００１２】
さらに、第４の発明は、前記第３の発明の構成に加え、前記それぞれのヘアピン形状パイプを、互いに間隔を介して配設された２本のパイプと該パイプ同士の間隔を保持するパイプ保持部とを備えた１つ以上のパーツユニットと、屈曲部が形成されたパイプの一端側と他端側とが間隔を介して配設されている１つのパーツユニットとを組み立て形成する構成として、隣り合うパーツユニットの一方側のパイプには下向きの取り付け部を設けて他方側には該取り付け部を上側から挿入するパイプ挿入部を設け、これらの複数のパーツユニットとヘッダとを別々に床下空間に挿入し、該床下空間内で前記パーツユニットのパイプの取り付け部を隣のパーツユニットの前記パイプ挿入部に上側から差し込んで取り付けることにより前記ヘアピン形状パイプを形成することを特徴とする。さらに、第５の発明は、前記第１乃至第４のいずれか一つの発明の構成に加え、前記冷房システムの被冷却領域は、床の上側に設けられた部屋に外部から空気を導入する空気導入部に設けられていることを特徴とする。
【発明の効果】
【００１３】
本発明の冷房システムに適用されるパイプクーラーの敷設方法は、以下に述べるような冷房システムに適用されるパイプクーラーの敷設方法として用いられるものである。つまり、その冷房システムは、被冷却領域を通って熱媒体を循環させる循環路に、建築物の床と該床よりも下側に設けられて地面に埋め込まれている建築物基礎との間の床下空間に収容されたパイプクーラーを介設し、建築物基礎上にパイプクーラーのパイプを配設することにより、該パイプを通る熱媒体を、前記床下空間において前記建築物基礎の下側の地面と前記床下空間との温度差に伴う気化熱によって容易に、かつ、電力などのエネルギを用いずに冷却することができる。そして、その冷却された熱媒体をポンプにより前記循環路に循環させることにより、簡単な構成で被冷却領域の冷却を行うことができる。また、前記床下空間には、該床下空間を上下に横切る態様で複数互いに間隔を介して床づかが配設されているが、前記パイプクーラーのパイプは床づかを避ける態様で、床づかと床づかとの間隔に設けるために、前記気化熱によってパイプを効率的に冷却できるようにパイプを配設でき、冷却効率の良好な冷房システムである。
【００１４】
また、被冷却領域を、床の上側に設けられた部屋に外部から空気を導入する空気導入部に設けることにより、パイプクーラーにより冷却した熱媒体の循環によって、被冷却領域を容易に、かつ、効率的に冷却し、部屋に導入する空気を冷却して、涼しい空気を部屋に送り込むことができる。そのため、この発明を例えば２４時間換気システムに適用することにより、簡単な構成で被冷却領域を効率的に冷却し、涼しい空気を用いて換気を行うことができるし、部屋に設けられるエアコンの代わりに、空気導入部から室内に涼しい空気を導入するようにでき、エアコンの稼動時間等の負荷を少なくしたり、その日の気温等によっては、エアコンの負荷をゼロにしたりすることもできる。
【００１５】
さらに、パイプクーラーの敷設は、通常、建物ができあがった後に行われるものであるが、パイプクーラーを、パイプに熱媒体を供給する長形状のヘッダと該ヘッダからヘッダの長手方向を横切る方向であって前記建築物基礎の表面に沿う方向に突出して設けたヘアピン形状パイプを有する構成として、該ヘアピン形状パイプをヘッダの長手方向に間隔を介して複数設け、床づかと床づかとの間に配置することによって、狭い床下空間において、床づかの配設部を避けてパイプクーラーを敷設する作業を、例えば以下のように容易にできるようになり、パイプクーラーによって被冷却領域を効率的に冷却できる冷房システムを構築することができる。
【００１６】
例えば、このパイプクーラーを敷設する際に、本発明のように、ヘッダにヘアピン形状パイプを取り付けたクーラー構成体をヘアピン形状パイプの先端側の屈曲部に紐部材を設けた状態とし、前記ヘアピン形状パイプをその突出先端側の屈曲部側から前記ヘッダ側に向けて該屈曲部を上向きにして丸めて床下空間に挿入すれば、床下の点検のために設けられている点検孔からクーラー構成体を容易に挿入することができる。
【００１７】
また、最近では、床下空間に、高さが１ｍ以上の鋼製の床づか（床束）を用いることにより、床下空間の上下の間隔（高さ）を１ｍ以上とした建物もあるが、従来の住宅においては、一般には、床下空間の上下の間隔は４５〜６０ｃｍ程度であり、かつ、床づか同士の間隔は、９０ｃｍ程度であるために、パイプクーラーの敷設作業は、作業者が床づかと床づかとの間に横向きの状態でしゃがんだまま片手で作業することになるために容易でない。それに対し、床下空間に挿入したクーラー構成体を前記ヘアピン形状パイプの巻き終わり側が上側になるようにして建築物基礎上に配置し、前記紐部材を引っ張る作業ようにすれば、この紐部材を引っ張る作業は片手でも容易に行うことができ、紐部材を引っ張ることによってヘアピン形状パイプを広げた状態として前記クーラー構成体を前記建築物基礎上に広げて配置でき、パイプクーラーを容易に敷設できる。
【００１８】
なお、ヘアピン形状パイプを丸めた状態としてクーラー構成体を床下空間に挿入すると、巻き方向に曲がり癖がつく可能性があるが、前記の如く、クーラー構成体をヘアピン形状パイプの巻き終わり側が上側になるようにして建築物基礎上に配置することによって、たとえヘアピン形状パイプに曲がり癖がついていても、ヘアピン形状パイプを広げた状態とした際には、ヘアピン形状パイプのヘッダへの取り付け側が建築物基礎の表面に接触した状態で配置される。そして、ヘアピン形状パイプの突出先端側が前記曲がり癖によって建築物基礎の表面に接触せずに上側に湾曲した状態で配置されたとしても、その後、ヘアピン形状パイプの突出先端側は重力によって下側に下がり、建築物基礎の表面に接触した状態で落ち着くため、パイプを良好な状態で配設でき、床下空間内で前記気化熱によってパイプを効率的に冷却できるようでき、冷却効率の良好な冷房システムを構築することができる。
【００１９】
さらに、ヘアピン形状パイプの先端部の屈曲部に紐部材が設けられてシート上に配置された状態とし、シートと共に前記ヘアピン形状パイプを前記と同様に丸めて床下空間に挿入し、前記シートを取り除いた後、紐部材を引っ張って床下空間で広げることにより前記パイプクーラーを前記建築物基礎上に敷設するようにすれば、ヘアピン形状パイプの丸める作業や床下空間への挿入作業をより容易に行うことができ、パイプクーラーの敷設作業をより一層効率的に行うことができる。なお、前記シートは、フィルム、不織布なども含むものである。
【００２０】
さらに、パイプクーラーの敷設に際し、上側にパイプ挿入部を形成したヘッダと、該ヘッダへの取り付け端側に下向きの取り付け部を形成したヘアピン形状パイプとを別々に床下空間に挿入する構成の本発明においても、パイプクーラーの構成部品の床下空間への挿入を容易に行うことができる。そして、ヘアピン形状パイプの取り付け部を該ヘッダのパイプ挿入部に上側から差し込む作業は、作業者が片手で容易に行うことができ、この作業によってヘッダにヘアピン形状パイプを取り付け、前記パイプクーラーを前記床下空間内で組み立てて前記建築物基礎上に敷設することにより、パイプクーラーの敷設作業を容易に、かつ、効率的に行うことができる。
【００２１】
さらに、ヘッダとヘアピン形状パイプとを別々に床下空間に挿入する構成において、それぞれのヘアピン形状パイプを、互いに間隔を介して配設された２本のパイプと該パイプ同士の間隔を保持するパイプ保持部とを備えた１つ以上のパーツユニットと、屈曲部が形成されたパイプの一端側と他端側とが間隔を介して配設された１つのパーツユニットとを設けて構成することにより、ヘアピン形状パイプの取り扱いを容易にできる。
【００２２】
つまり、複数のパーツユニットとヘッダとを別々に床下空間に挿入する作業は容易であり、また、隣り合うパーツユニットの一方側には下向きの取り付け部を設けて他方側には該取り付け部を上側から挿入するパイプ挿入部を設けて、床下空間内で前記パーツユニットのパイプの取り付け部を隣のパーツユニットの前記パイプ挿入部に上側から差し込んで取り付ける作業は片手で容易にできるので、長めのパイプによって予めヘアピン形状パイプを形成しておいて床下空間内に挿入しなくても、短めのパイプを有するパーツユニットを用いてヘアピン形状パイプを床下空間内で容易に形成できる。
【図面の簡単な説明】
【００２３】
【図１】本発明に係る冷房システムに適用されるパイプクーラーの敷設方法の一実施例が適用されているパイプクーラーの要部構成を示す平面説明図である。
【図２】実施例のパイプクーラーの敷設方法が適用されている冷房システムの配置構成例を示す模式図である。
【図３】実施例の冷房システムに適用されるパイプクーラーの敷設方法を説明するための模式的な斜視図である。
【図４】冷房システムに適用されるパイプクーラーの敷設方法の他の実施例を説明するための模式的な斜視図である。
【図５】冷房システムに適用されるパイプクーラーの敷設方法のさらに他の実施例を説明するための模式的な斜視図である。
【図６】冷房システムに適用されるパイプクーラーの敷設方法のさらにまた他の実施例を説明するための模式的な斜視図である。
【図７】家屋の床下空間の形成例を説明するための模式的な斜視図（ａ）と平面図（ｂ）と鋼製束の例を示す斜視図（ｃ）である。
【図８】本発明の冷房システムに適用されるパイプクーラーの敷設方法によるパイプクーラー敷設に用いられるアルミシートの例を示す模式図である。
【発明を実施するための形態】
【００２４】
以下、本発明の実施の形態を図面に基づき説明する。
【実施例】
【００２５】
図２には、実施例の冷房システムに適用されるパイプクーラーの敷設方法が適用されている冷房システムの配置構成例が家の断面構成図を用いて模式的に示されている。同図に示すように、この冷房システム５０は、家屋１００に設けられた２４時間換気システムに適用されている。家屋１００等の建築物には、基礎（建築物基礎）１が地面に埋め囲まれて設けられている。
【００２６】
図７（ａ）に示すように、基礎１の上には建築物の土台２が設けられており、基礎１には通気口４０が形成されている。また、建築物の床板３と床板３の下側（床よりも下側）の基礎１との間の床下空間４には、大引き５と根太６と床づか７とが設けられている。図７（ｂ）に示すように、大引き５同士は互いに間隔ａ（例えば９０ｃｍ）を介して配設されて、根太６同士は互いに間隔ｂ（例えば４５ｃｍ）を介して配設され、大引き５と根太６とで格子状に形成されている。床づか７は木製または鋼製（図７（ｃ）、参照）であり、大引き５の下側に設けられて床下空間４を上下に横切る態様で複数互いに間隔を介して配設されている。
【００２７】
図２に示すように、この冷房システムは、被冷却領域８を通って熱媒体を循環させる循環路９と、該循環路９に前記熱媒体を循環させるポンプ１０とを有し、循環路９に前記床下空間４に収容されたパイプクーラー１１を介設して形成されている。なお、循環路９には三方弁３０，３１が設けられている。ポンプ１０は熱源機２９内に設けられて循環路９に介設されており（熱源機２９内の循環路９は図示せず）、熱源機２９内には、ポンプ１０の駆動手段や、ポンプ１０の駆動により循環路９を循環する熱媒体の加熱手段（図示せず）が設けられている。
【００２８】
被冷却領域８は、床の上側に設けられた部屋４２に外部から空気を導入する空気導入部１３に設けられており、空気導入部１３には、フィルタ１４とファン１５とが設けられている。なお、この例において、被冷却領域８は、必要に応じて熱源機２９によって加熱が行われる被加熱領域でもあり、図２の図中、符号４１は、各部屋４２への空気の吹き出し口を示す。
【００２９】
パイプクーラー１１は、図１に示すように、基礎１上に配設されたパイプ１２と長形状（ここでは、直方体形状）のヘッダ１６とを有し、ヘッダ１６には、例えばパイプ１２に熱媒体を供給するための熱媒体通路３０が形成されてパイプ１２に熱媒体を供給する。パイプ１２はヘアピン形状に形成されており、床づか７を避ける態様で床づか７と床づか７との間隔に設けられている。つまり、パイプ１２は、ヘッダ１６から該ヘッダ１６の長手方向を横切る方向であって基礎１の表面に沿う方向に突出して設けられて突出先端で屈曲し、ヘッダ１６に戻るヘアピン形状に形成され、ヘッダ１６の長手方向に間隔を介して複数（ここでは、ヘッダ１６の両側に３本ずつ）平行に配設され、床づか７と床づか７との間に配置されている。パイプ１２は、例えば直径が７ｍｍ〜１０ｍｍの架橋ポリエチレンパイプ等の樹脂により形成されて、パイプ保持体２２によって保持されており、ヘッダ１６も樹脂により形成されている。なお、図７（ａ）にも、パイプ１２の配設例が一部示されている。
【００３０】
この冷房システムは、パイプ１２を通る熱媒体を、床下空間４において基礎１の下側の地面と床下空間４との温度差に伴う気化熱によって冷却する。つまり、基礎１の下側の土に含まれている水分が土から基礎１を通して床下空間４に入り、地面の温度（例えば１５〜１７℃程度）に比べて温度が高い床下空間４内で気化（蒸発）し、この気化熱によってパイプ１２を通る熱媒体を冷却する。そして、その冷却した熱媒体をポンプ１０により循環路９に循環させて被冷却領域８を冷却する。なお、パイプクーラー１１による被冷却領域８の冷却時は、三方弁３０，３１により、パイプクーラー１１側の循環路９を熱源機２９と接続状態としてパイプクーラー１１で冷却した熱媒体を被冷却領域９を通して循環させ、被冷却領域８を熱源機２９により加熱するときには、三方弁３０，３１により、パイプクーラー１１側の循環路９を熱源機２９と非接続状態とする。
【００３１】
本実施例のパイプクーラーの敷設方法は、パイプクーラー１１を以下のようにして敷設するものである。つまり、図３（ａ）に示すように、ヘッダ１６にヘアピン形状パイプ１２を取り付けたクーラー構成体１７をヘアピン形状パイプ１２の突出先端側の屈曲部２０に紐部材１８を設けた状態として、例えば上下間に伝熱性のあるアルミシート（図８（ａ）、参照）により形成されたシート１９上に載せる。なお、クーラー構成体１７をシート１９上に載せてから紐部材１８を設けてもよい。そして、シート１９と共にヘアピン形状パイプ１２をその突出先端側の屈曲部２０側からヘッダ１６側に向けて該屈曲部２０を上向きにして丸めていき、図３（ｂ）に示すように丸めて、点検孔２１（図１、参照）から床下空間４に挿入する。そして、ヘアピン形状パイプ１２の巻き終わり側が上側になるようにして基礎１上に配置する。
【００３２】
その後、シート１９を取り除き、紐部材１８を引っ張ることにより、ヘアピン形状パイプ１２をに広げた状態として、クーラー構成体１７を基礎１上に広げて配置することによりパイプクーラー１１を基礎１上に敷設し、このパイプクーラー１１の敷設後、ヘッダ１６に循環路９を接続する。なお、図８（ａ）に示すアルミシート１９は、貫通の孔３４が形成されている発砲ポリエチレンシート３５の表面と裏面にそれぞれアルミ箔３６を設け、発泡ポリエチレンシートをアルミ箔で挟んで形成されるものであり、図８（ｂ）に示すように、アルミ箔３６の発泡ポリエチレンシート３５との対向面に両面テープ３７を設けて接着したり、図８（ｃ）に示すように、図の上下から圧力をかけて、上下のアルミ箔３６を発泡ポリエチレンシート３５の孔３４の部分で接触させたりして形成されるものである。
【００３３】
なお、本発明は前記実施例に限定されることはなく、様々な態様を採り得る。例えば、パイプクーラー１１の敷設は、以下のような方法により行うこともできる。例えば、図４（ａ）に示すように、ヘッダ１６の上側にパイプ挿入部２３を形成し、ヘアピン形状パイプ１２のヘッダ１６への取り付け端側には下向きの取り付け部２４を形成して、ヘッダ１６とヘアピン形状パイプ１２とを別々に床下空間４に挿入する。そして、図４（ｂ）に示すように、ヘアピン形状パイプ１２の取り付け部２４をヘッダ１６のパイプ挿入部２３に上側から差し込むことによって、ヘッダ１６にヘアピン形状パイプ１２を取り付け、パイプクーラー１１を床下空間４内で組み立てて基礎１上に敷設してもよい。
【００３４】
また、このように、ヘッダ１６とヘアピン形状パイプ１２とを別々に床下空間４に挿入して組み立てる構成において、図５（ａ）に示すように、それぞれのヘアピン形状パイプ１２を、互いに間隔を介して配設された２本のパイプ１２ａと該パイプ１２ａ同士の間隔を保持するパイプ保持部２５とを備えた１つ以上（ここでは、２つ）のパーツユニット２６と、屈曲部２０が形成されたパイプ１２ｂの一端側と他端側とが間隔を介して配設された１つのパーツユニット２８とを組み立て形成する構成としてもよい。
【００３５】
この場合、隣り合うパーツユニット２６，２８の一方側にはパイプ１２ａ，１２ｂに下向きの取り付け部２４を設け、他方側には取り付け部２４を上側から挿入するパイプ挿入部２３を設け、これらの複数のパーツユニット２６，２８とヘッダ１６（同図には図示せず）とを別々に床下空間４に挿入する。そして、床下空間４内でパーツユニット２６，２８のパイプ１２ａ，１２ｂの取り付け部２４を隣のパーツユニット２６のパイプ挿入部２３に上側から差し込んで取り付けることにより、ヘアピン形状パイプ１２を形成する。なお、例えば図５（ｂ）に示すように、パイプユニット２８にもパイプ保持部２７を設けてもよく、この場合、パイプ保持部２７にパイプ挿入部２３を形成して、隣のパーツユニット２６のパイプ１２ａをパイプ挿入部２３に挿入する構成としてもよい。
【００３６】
さらに、前記実施例では、パイプクーラー１１を、ヘッダ１６の両側に３本ずつヘアピン形状パイプ１２を突出させて形成したが、ヘアピン形状パイプ１２の配設数や配設形状等の詳細は特に限定されるものでなく、適宜設定されるものである。例えば、ヘッダ１６から突出形成するヘアピン形状パイプ１２を、ヘッダ１６を中心とした非対称な態様に突出形成しとしてもよいし、ヘアピン形状パイプ１２を形成するパイプ同士は、平行でなくてもよい。
【００３７】
また、図６に示すように、ヘアピン形状パイプ１２の平行に対向するパイプの間隔を狭く形成してもよいし、床下空間４の大きさに応じて、基礎１の大きさが８畳（３．６ｍ×３．６ｍ）程度よりも小さい（６畳程度や４畳半程度）の場合には、１つのパイプクーラー１１を設け、８畳程度の場合には、例えば図６に示すように、２つのパイプクーラー１１を設ける等、床下空間４の広さに応じて複数のパイプクーラー１１を設けてもよい。
【００３８】
さらに、前記実施例は、冷房システムにおける被冷却領域８を、家屋１００の２４時間換気システムの空気導入部に設けたが、被冷却領域８の配設場所は特に限定されるものでなく、適宜設定されるものであり、例えばオフィスにおける２４時間換気システムの空気導入部に設けてもよい。また、浴室の冷房や衣類乾燥用として導入される空気導入部に被冷却領域８を設けてもよく、この場合も、浴室の快適な利用を実現することができる。
【産業上の利用可能性】
【００３９】
本発明の冷房システムに適用されるパイプクーラーの敷設方法は、簡単な構成で被冷却領域を冷房できる冷房システムに適用され、例えば家庭やオフィス用として用いられている２４時間換気システムにおいて、涼しい空気を導入するための冷房システムにおけるパイプクーラーの敷設方法として利用できる。
【符号の説明】
【００４０】
１                    基礎（建築物基礎）
３                    床板
４                    床下空間
５                    大引き
７                    床づか
８                    被冷却領域
９                    循環路
１０                  ポンプ
１１                  パイプクーラー
１２，１２ａ，１２ｂ  パイプ
１３                  空気導入部
１７                  クーラー構成体
１８                  紐部材
１９                  シート
２０                  屈曲部
２２                  パイプ保持体
２３，３３            パイプ挿入部
２４                  取り付け部
２５，２７            パイプ保持部
２６，２８            パーツユニット
２９                  熱源機
５０                  冷房システム
１００                家屋
【図１】
0005904759.tif 000002
【図２】
0005904759.tif 000003
【図３】
0005904759.tif 000004
【図４】
0005904759.tif 000005
【図５】
0005904759.tif 000006
【図６】
0005904759.tif 000007
【図７】
0005904759.tif 000008
【図８】
0005904759.tif 000009